(57)【要約】【課題】本発明は、ドアホン子器とインターホン親機とを組み合わせて構成され、呼出音を制御できるインターホンシステムを提供する。【解決手段】インターホン親機Ｂ側には、人体検知センサ７と、この人体検知センサ７によって人を検知したときと、そうでないときとで呼出音を変化させる呼出音制御手段８とを備えた構成にしている。【選択図】図３
2004179797.tif 000002
【特許請求の範囲】
【請求項１】
ドアホン子器とインターホン親機とを接続し、ドアホン子器からの呼出をインターホン親機で検出し、呼出音を出力させて、ドアホン子器とインターホン親機とで相互に通話を行うようにしたインターホンシステムにおいて、
上記インターホン親機側には、人体検知センサと、この人体検知センサによって人を検知したときと、そうでないときとで呼出音を変化させる呼出音制御手段とを備えた構成にしているインターホンシステム。
【請求項２】
請求項１において、
上記人体検知センサは、上記インターホン親機の本体に内蔵されているインターホンシステム。
【請求項３】
請求項１において、
上記人体検知センサは、上記インターホン親機の外方でインターホン親機と近隣して設置されているインターホンシステム。
【請求項４】
請求項１〜３のいずれかにおいて、
上記呼出音制御手段は、上記人体検知センサが人体を検知したときと、人体を検知したときとで、音量を変化させる構成にしているインターホンシステム。
【請求項５】
請求項４において、
上記インターホン親機は、人体検知時と、人体非検知時とで、上記呼出音制御手段による呼出音を設定登録するための操作表示部を備えているインターホンシステム。
【請求項６】
請求項１〜５のいずれかにおいて、
上記インターホン親機は、上記人体検知センサの検知動作に連動した上記呼出音制御手段による呼出音制御を有効、無効に設定するスイッチを備えているインターホンシステム。
【請求項７】
カメラ付きドアホン子器とモニタテレビ付きインターホン親機とを接続し、
上記ドアホン子器からの呼出を上記インターホン親機で検出し、呼出音を出力させるとともに、上記モニタテレビに上記ドアホン子器の上記カメラで撮像された来客の映像を映し出し、上記ドアホン子器と上記インターホン親機とで相互に通話を行うようにしたインターホンシステムにおいて、
上記ドアホン子器は、カラーカメラを備える一方、
上記インターホン親機は、上記カラーカメラで撮像された来客のカラー映像を映し出すカラーモニタテレビと、上記カラーカメラの撮像モードかカラーか、モノクロかを判別する撮像モード判別手段と、上記ドアホン子器からの呼出に応じて呼出音を変化させる呼出音制御手段とを備えており、
上記撮像モード判別手段の判別結果に応じて、上記呼出音制御手段を制御して、呼出音量を変化させる構成にしているインターホンシステム。
【請求項８】
請求項７において、
上記インターホン親機は、上記撮像モード判別手段による判別結果に応じて、上記呼出音制御手段による呼出音を設定登録するための操作部を備えているインターホンシステム。
【請求項９】
請求項７において、
上記インターホン親機は、上記撮像モード判別手段による判別結果に連動した上記呼出音制御手段による呼出音制御を有効、無効に設定するスイッチを備えているインターホンシステム。
【発明の詳細な説明】
【０００１】
【発明の属する技術分野】
本発明は、ドアホン子器とインターホン親機とを組み合わせて構成され、呼出音を制御できるインターホンシステムに関する。
【０００２】
【従来の技術】
従来より、ドアホン子器とインターホン親機とを組み合わせて構成させるインターホンシステムでは、機能性を向上させるため人体検知センサを備えているものがあった。また、この人体検知センサはドアホン子器側に備えるものとインターホン親機側に備えるものがある。例えば、ドアホン子器側に備えることにより、悪戯の防止を図るもの（特開平１１−１３６３７１号公報参照）やインターホン親機側に備えることにより消費電力を無駄を無くすもの（特開２００２−８６４９０号公報参照）等がある。
【０００３】
また、近時、玄関先にカラーカメラ付きドアホン子器を設置し、室内にモニタテレビ付きインターホンを設置して通話を行うインターホンシステムが普及している。例えば、ドアホン子器にカメラを備えることにより、不審者を撃退するもの（特開平７−１４６９９３号公報参照）等がある。
【特許文献１】
特開平１１−１３６３７１号公報
【特許文献２】
特開２００２−８６４９０号公報
【特許文献３】
特開平７−１４６９９３号公報
【０００４】
【発明が解決しようとする課題】
しかし、上記のような従来のインターホンシステムでは、インターホン親機側に備えた人体検知センサや、ドアホン子器に備えたカラーカメラをインターホン親機の呼出音量を制御するために活用するものはなかった。従来のインターホンシステムは、インターホン親機の呼出音量はユーザが設定した状態で固定し使用されている。このため、インターホン親機から離れて、たとえば別の部屋にいるようなときは、呼出音が聞こえず来客に気付かないという問題があった。
【０００５】
本発明は、このような事情を考慮してなされたものであり、人がいない場合や夜間であることを感知してインターホン親機の呼出音量を自動制御するインターホンシステムを提供することを目的としている。
【０００６】
【課題を解決するための手段】
上記目的を達成するために、本発明では、請求項１から６においてインターホン親機側に人体検知センサを備えたインターホンシステムを、請求項７から９においてカメラ付きドアホン子器を備えたインターホンシステムを各々提案している。
【０００７】
請求項１では、ドアホン子器とインターホン親機とを接続し、ドアホン子器からの呼出をインターホン親機で検出し、呼出音を出力させて、ドアホン子器とインターホン親機とで相互に通話を行うようにしたインターホンシステムにおいて、インターホン親機側には、人体検知センサと、この人体検知センサによって人を検知したときと、そうでないときとで呼出音を変化させる呼出音制御手段とを備えていることを特徴とする。
ここに、呼出音は、人を検知している場合とそうでない場合、呼出音の出力を許容したり、停止ししたり、音色や強弱を変化させるなど、使用目的に応じて自在に変更できる。
【０００８】
請求項２では、請求項１において、上記人体検知センサは、上記インターホン親機の本体に内蔵されていることを特徴とする。
【０００９】
請求項３では、請求項１において、上記人体検知センサは、上記インターホン親機の外方でインターホン親機と近隣して設置されていることを特徴とする。
【００１０】
請求項４では、請求項１〜３のいずれかにおいて、上記呼出音制御手段は、上記人体検知センサが人体を検知したときと、人体を検知したときとで、音量を変化させる構成にしていることを特徴とする。
【００１１】
請求項５では、請求項４において、上記インターホン親機は、人体検知時と、人体非検知時とで、上記呼出音制御手段による呼出音を設定登録するための操作表示部を備えていることを特徴とする。
【００１２】
請求項６では、請求項１〜５のいずれかにおいて、上記インターホン親機は、上記人体検知センサの検知動作に連動した上記呼出音制御手段による呼出音制御を有効、無効に設定するスイッチを備えているを特徴とする。
【００１３】
請求項７では、カメラ付きドアホン子器とモニタテレビ付きインターホン親機とを接続し、上記ドアホン子器からの呼出を上記インターホン親機で検出し、呼出音を出力させるとともに、上記モニタテレビに上記ドアホン子器の上記カメラで撮像された来客の映像を映し出し、上記ドアホン子器と上記インターホン親機とで相互に通話を行うようにしたインターホンシステムにおいて、上記ドアホン子器は、カラーカメラを備える一方、上記インターホン親機は、上記カラーカメラで撮像された来客のカラー映像を映し出すカラーモニタテレビと、上記カラーカメラの撮像モードかカラーか、モノクロかを判別する撮像モード判別手段と、上記ドアホン子器からの呼出に応じて呼出音を変化させる呼出音制御手段とを備えており、上記撮像モード判別手段の判別結果に応じて、上記呼出音制御手段を制御して、呼出音量を変化させる構成にしていることを特徴とする。
【００１４】
請求項８では、請求項７において、上記インターホン親機は、上記撮像モード判別手段による判別結果に応じて、上記呼出音制御手段による呼出音を設定登録するための操作部を備えていることを特徴とする。
【００１５】
請求項９では、請求項７において、上記インターホン親機は、上記撮像モード判別手段による判別結果に連動した上記呼出音制御手段による呼出音制御を有効、無効に設定するスイッチを備えていることを特徴とする。
【発明の実施の形態】
以下に本発明の実施の形態について添付図面とともに説明する。
【００１６】
図１、図２は、インターホンシステムの外観の一例を示した図である。図１および、図２のインターホンシステムＳは、ドアホン子器Ａとインターホン親機Ｂが通信線Ｌで接続されている。図１においては、人体検知センサ７はインターホン親機Ｂの本体に内臓されており、図２においては、インターホン親機の外方で、インターホン親機と近隣して設置されているものを示している。この人体検知センサ７は、少なくとも常時人体の有無を検出することができるセンサであればよい。これは、たとえば人体から放射される赤外線を検出する赤外線センサや人体によって反射した超音波を検出する超音波センサなどでもよい。このセンサ７は上述したとおり、インターホン親機Ｂに内臓してもよいし、別途近隣に設置する態様であってもよく、有線あるいは無線を問わず、検知信号を後述する制御部３に送出できる構成であればよい。図１、２においては、インターホン親機はハンズフリータイプのものを示しているが、この例にかぎられず、ハンドセットタイプのものでもよい。
【００１７】
図３は、本発明のインターホンシステムの内部構成の第１例を示している。このインターホンシステムＳでは、ドアホン子器Ａは、呼出釦１１の操作により呼出信号を送出する呼出回路１と、インターホン親機Ｂと通話するため、スピーカ２１とマイク２２とを備えた通話回路２等で構成されている。一方、インターホン親機Ｂは、各回路やセンサの信号等を制御する制御部３と、ドアホン子器からの呼出を検出する呼出検出回路４と、ドアホン子器Ａと通話するため、スピーカとマイクとを備えた通話回路５と、呼出音の制御を解除したり、呼出音の大小を設定する操作キーやその他各種操作キーを備えた操作表示部６と、人体を有無を検知する人体検知センサ７と、制御部３からの信号によって呼出音量を制御したり、呼出音の音色を区別して出力させるスピーカ８１を備えた呼出音量制御手段８等で構成されている。
【００１８】
呼出音制御手段８は、少なくとも呼出音量ゲインアップ回路８１と、呼出音量ミュート回路８２と、呼出音パターン設定部８３とを備えている。この呼出音制御手段８は、人体検知センサ７と連動しており、制御部３からの信号に応じて呼出音を出力させている。呼出音量ゲインアップ回路８１は、呼出音量をあげて大きく鳴動させることができ、呼出音量ミュート回路８２は、呼出音を鳴動させなくすることができる。また、呼出音パターン設定部８３では、制御部の信号に応じた呼出音色を出力させる。
【００１９】
操作表示部６は、少なくとも呼出音の大小を設定する操作キー（不図示）と、呼出音色選択キー６１と、呼出音パターン設定キー６２と呼出音制御オン／オフスイッチ６３とを備えている。この操作表示部６は、液晶画面であってもよい。
【００２０】
呼出音の大小を設定する操作キー（不図示）は、スライド式のものでも釦式のものでもよい。このキーにより、呼出音の音量をユーザの希望にあわせて設定することができる。
【００２１】
また、呼出音色選択キー６１は、呼出音の音色をユーザの好みやシーンにあわせて選択できる構成となっている。この呼出音の音色の種類は、インターホン親機Ｂの記憶部（不図示）に記憶しておく。この音色はたとえば、従来からある発信音の他、楽曲や動物の鳴き声等であってもよい。
【００２２】
また、この呼出音の音色は、人体検知時と人体非検知時とで任意に変化設定することができる。これにより、人体非検知時には、より識別しやすい効果音を選択しておくことができ、ユーザが呼出音に気付きやすくなる。
【００２３】
このように呼出音の音色を変化できる他、呼出音の音量を変化させることもできる。呼出音の音量は通常、ユーザが設定した音量で出力されるが、本願発明によれば、人体検知時にはインターホン親機Ｂの周辺に人がいるため、設定音量が出力され、人体非検知時には人が近くにいないとして、呼出音の音量を大きくして出力させることができる。これにより、人がインターホン親機から離れた場所にいるときでも、呼出音が自動的に大きく鳴動するため、来客等に気付くことができる。
【００２４】
これら人体検知センサ７との連動による、音色の変化設定や音量変化の設定は、呼出音パターン設定キー６２で、選択し設定操作することができる。前述したように、人体非検知時には、人体検知時よりも呼出音を大きくするパターンの他、人体非検知時には、呼出音を鳴動させない等の使用目的に応じて設定することができる。たとえば、幼子が他の部屋で寝ている場合やインターホンを増設している場合には、人体非検知時でも、呼出音を鳴動させる必要がないので、有効である。
【００２５】
さらに、呼出音制御オン／オフスイッチ６３によれば、以上のような人体検知センサ７に連動した呼出音制御手段８による呼出音制御を有効、無効に設定することができる。このスイッチよれば、ユーザの必要性に応じて呼出音制御を有効、無効に設定することができる。
【００２６】
以上の構成によれば、以下に示すような処理が可能となる。これについて、図４のフローチャートとともに説明する。これは、呼出音制御動作の一例であって、人体非検知時には、音量を大きくして呼出音を鳴動させるパターンを示す。
【００２７】
ドアホン子器Ａの呼出釦１１より呼出されると、インターホン親機Ｂが呼出信号を受信する（１００）。呼出音制御オン／オフスイッチ６３より呼出音制御が無効と設定されていると（１０１）、従来どおりユーザの設定した呼出音量が鳴動する（１０３）。一方、呼出音制御が有効と設定されている場合は（１０１）、呼出音制御がなされる。よって、人体検知センサ７が人体を検知したときは（１０２）、設定されている呼出音量が鳴動する（１０３）。一方、人体を検知しないときは（１０２）、呼出音量ゲインアップ回路が起動し（１０４）、音量を大きくして呼出音を鳴動させる（１０５）。
【００２８】
その他の呼出音制御動作の例として、人体非検知時には呼出音量を鳴動させないようにもできる。そのときには、呼出音量ミュート回路８２を起動させるように呼出音パターン設定キー６２で設定すればよい。
【００２９】
次に、図５は、本発明のインターホンシステムの内部構成の第２例を示している。このインターホンシステムＳ’では、上述のインターホンシステムＳとほとんど同じく構成されるが、ドアホン子器Ａ’には、カラーカメラ９を備え、インターホン親機Ｂ’には人体検知センサ７に代わって、撮像モード判別手段１０を設けている点で相違する。
【００３０】
カラーカメラ９は、ドアホン子器Ａ’の呼出釦１１を操作する人（訪問者等）を撮影するために設けられているものであるが、本願発明ではこのカラーカメラ９の撮像信号に応じて呼出音を制御することができる。インターホン親機Ａ’に設けた撮像モード判別手段１０は、カラーカメラ９からの撮像信号よりカラーかモノクロかを判別することができる。すなわち、昼間は赤、緑、青の三原色を感知するため、カラーを判断でき、夜間は明度のみを感知するため、モノクロを判断する。この撮像モード判別手段１０の判別結果に応じて、呼出音制御手段８では、呼出音を制御している。
【００３１】
これによれば、呼出音の音色や呼出音の音量をカラー時（昼間）とモノクロ時（夜間）とで任意に変化設定することができる。したがって、たとえばユーザの好みに合わせて、夜間は穏やかな音色にしたり、昼間は識別しやすい音色に設定することや、夜間就寝時に騒音にならないよう設定音量を出力させ、昼間は、生活騒音等で呼出音に気付かないこともあるので呼出音の音量を大きくして出力させることができる。
【００３２】
また、呼出音制御オン／オフスイッチ６３によれば、以上のような撮像モード判別手段１０に連動した呼出音制御手段８による呼出音制御を有効、無効に設定することができる。このスイッチよれば、ユーザの必要性に応じて呼出音制御を有効、無効に設定することができる。
【００３３】
以上の構成によれば、以下に示すような処理が可能となる。これについて、図６のフローチャートとともに説明する。これは、呼出音制御動作の一例であって、カラー時（昼間）には、音量を大きくして呼出音を鳴動させるパターンを示す。
【００３４】
ドアホン子器Ａ’の呼出釦１１より呼出されると、インターホン親機Ｂ’が呼出信号を受信する（２００）。呼出音制御オン／オフスイッチ６３より呼出音制御が無効と設定されていると（２０１）、従来どおりユーザの設定した呼出音量が鳴動する（２０３）。一方、呼出音制御が有効と設定されている場合は（２０１）、呼出音制御がなされる。よって、撮像モード判別手段１０がカラーでなくモノクロと判別したときは（２０２）、設定されている呼出音量が鳴動する（２０３）。一方、カラーと判別したときは（２０２）、呼出音量ゲインアップ回路が起動し（２０４）、音量を大きくして呼出音を鳴動させる（２０５）。
【００３５】
【発明の効果】
以上の説明からも理解できるように、本発明の請求項１から６に記載のインターホンシステムによれば、人体検知センサとの連動により、インターホン親機の呼出音の制御をすることができる。これにより、インターホン親機が設置されている部屋にユーザ等がいなくても、呼出音の音量が大きくなったり、認識しやすい呼出音色にしたりできるので、来客等に気付きやすくなる。
【００３６】
請求項１によれば、人体検知センサの検知時と非検知時とで、呼出音量を制御することができる。
【００３７】
請求項２によれば、人体検知センサはインターホン親機に内臓されているため、インターホン親機のデザインを崩すことなく、設備のスリム化が図れる。
【００３８】
請求項３によれば、人体検知センサはインターホン親機と別体になっているため、任意の場所をセンサの検知範囲に設定することができる。
【００３９】
請求項４によれば、人体検知センサの検知時と非検知時とで、任意に呼出音量を変化させることができる。この呼出音量の変化の態様はユーザの使用目的に応じて選択し設定することができる。
【００４０】
請求項５によれば、人体検知センサの検知時と非検知時とで、任意に呼出音を変化させることができる。この呼出音の変化の態様はユーザの好みやシーンにあわせて選択し設定することができる。
【００４１】
請求項６によれば、これら呼出音制御をユーザの必要性に応じて有効、無効に設定することができる。
【００４２】
請求項７から請求項９に記載のインターホンシステムによれば、撮像モード判別手段との連動により、インターホンの呼出音の制御をすることができる。これにより、昼間と夜間で呼出音を制御することができる。
【００４３】
請求項７によれば、撮像モード判別手段の判別結果に応じて、任意に呼出音量を変化させることができる。この呼出音量の変化の態様はユーザの使用目的に応じて選択し設定することができる。
【００４４】
請求項８によれば、撮像モード判別手段の判別結果に応じて、任意に呼出音を変化させることができる。この呼出音の変化の態様はユーザの使用目的に応じて選択し設定することができる。
【００４５】
請求項９によれば、これら呼出音制御をユーザの必要性に応じて有効、無効に設定することができる。
【図面の簡単な説明】
【図１】本発明に採用されるインターホンシステムの外観の一例である。
【図２】本発明に採用されるインターホンシステムの外観の一例である。
【図３】本発明のインターホンシステムの内部構成の一例を示す図である。
【図４】本発明のインターホンシステムの動作について説明するためのフローチャートである。
【図５】本発明のインターホンシステムの基本構成の一例を示す図である。
【図６】本発明のインターホンシステムの動作について説明するためのフローチャートである。
【符号の説明】
Ｓ    インターホンシステム
Ａ    ドアホン子器
Ｂ    インターホン親機
６    操作表示部
６１  呼出音選択キー
６２  呼出音パターン設定キー
６３  呼出音制御オン／オフスイッチ
７    人体検知センサ
８    呼出音制御手段
８１  呼出音量ゲインアップ回路
８２  呼出音量ミュート回路
８３  呼出音パターン設定部
９    カラーカメラ
１０  撮像モード判別手段
【図１】
2004179797.tif 000003
【図２】
2004179797.tif 000004
【図３】
2004179797.tif 000005
【図４】
2004179797.tif 000006
【図５】
2004179797.tif 000007
【図６】
2004179797.tif 000008